(57)【特許請求の範囲】
【請求項１】
５０音を各行毎に区分し、更に行に属する文字毎に区分して各行に属する文字を先頭の読み文字とする漢字名称が登録された名称辞書と、
かな漢字入力モードにおいて、
操作キーが所定の時間以上押下され続けているか否かを判定する長押し判定手段と、
前記長押し判定手段で否と判定されたとき、操作キーの押下回数を計数する計数手段と、
押下された操作キーが何行を指定しているかを判定する行判定手段と、
長押判定手段で押下され続けていると判定されているとき、前記名称辞書から前記行判定手段で判定された行に登録されている漢字名称を順次読み出し、前記長押し判定手段で押下され続けていると判定されているときの操作キーと前記計数手段で押下回数の計数された操作キーとが同一のとき、前記行判定手段で判定された行の前記計数手段で計数された回数＋１番目の文字に区分された文字を先頭の読み文字とする漢字名称を前記名称辞書から順次読み出す読出手段と、
前記読出手段で読み出された漢字名称を表示する表示手段と、
前記表示手段で所望の漢字名称が表示されたとき、ユーザによって所定のキー操作がされたとき、表示中の漢字名称を確定する確定手段とを備えることを特徴とする電話機。
【請求項２】
前記表示手段は、順次読み出された漢字名称をスクロール表示し、前記長押し判定手段で押下が解放されたと判定されたときスクロール表示を停止し、
前記読出手段は、
前記長押し判定手段で押下が解放されたと判定された後、同一操作キーが所定の時間未満押下されたとき、前記名称辞書から最後に読み出した漢字名称の次の漢字名称を読み出す次名称読出部を有することを特徴とする請求項１記載の電話機。
【請求項３】
前記名称辞書は、漢字名称を読み文字の５０音順に配列して登録されており、
前記長押し判定手段で押下が解放されたと判定された後、特定の操作キーの押下を受けたとき、前記読出手段は、前記名称辞書の区分された最後の漢字名称から逆に読み出すことを特徴とする請求項１又は２記載の電話機。
【請求項４】
前記表示手段には、表示画面の表面にタッチパネルが載置されており、
前記スクロール表示に際し、一画面に複数の漢字名称を表示するようにし、
各漢字名称に対応したソフトキーを表示するソフトキー表示部を有し、
前記確定手段は、前記ソフトキーが押下されたとき、対応する漢字名称を確定することを特徴とする請求項２又は３記載の電話機。
【発明の詳細な説明】
【０００１】
【発明の属する技術分野】
本発明は、文字入力機能を有する電話機に関し、特に漢字の名称の入力に関する。
【０００２】
【従来の技術】
近年、電話機は、基本となる通話機能の他に多くの有用な機能を備えるようになっている。文字入力機能もその一つである。この文字入力機能は、電話番号の登録や検索をする際に、ひらがな、漢字、カタカナ、英字等を入力するための機能である。
【０００３】
この文字入力機能を用いて、漢字の名前をユーザが入力しようとする場合、従来の電話機では，以下のように操作キーを押下しなければならない。なお、文字入力モード（文字入力機能を実現するモード）においては、各数字キーに、例えば、５０音の各行が割り当てられており、数字キーの押下回数によって、各行の文字が特定される。
【０００４】
例えば、ユーザが「芥川」を入力しようとする場合、文字入力モードにおいて、「芥川」の読み文字「あ」、「く」、「た」、「が」、「わ」の各文字を特定した後、かな漢字変換キーを押下し、「芥川」を表示させる。このため、ユーザは、文字「あ」を特定するため数字キー「１」（▲１▼には、「あ行」が割り当てられている。以下、数字キーを○囲みの数字で示す。▲２▼には「か行」、▲３▼には「さ行」、・・・、‘０’（数字キー「０」を表す）には「わ行」がそれぞれ割り当てられている。）を１回押下し、次に、▲２▼を３回押下して文字「く」を特定し、▲４▼を１回押下して文字「た」を特定し、▲２▼を１回押下し、‘０’（数字キー「０」）を４回押下して文字「が」を特定し（濁点は‘０’の４番目に割り当てられている。）、移動キーを押下した後‘０’を１回押下して文字「わ」を特定し、最後に「かな漢字変換」キーを押下し「芥川」を表示させる。
【０００５】
【発明が解決しようとする課題】
ところが、上記従来の電話機の操作では、「芥川」を表示させるまでに“▲１▼、▲２▼、▲２▼、▲２▼、▲４▼、▲２▼、‘０’、‘０’、‘０’、‘０’、「移動キー」、‘０’、「かな漢字変換」”の各操作キーを順に押下しなければならず、ユーザのキー押下の操作が煩雑である。
【０００６】
本発明は、上記課題に鑑みて、ユーザの入力すべき漢字の名称を簡単な操作で入力することのできる電話機を提供することを目的とする。
【０００７】
【課題を解決するための手段】
本発明は、上記課題を解決するため、５０音を各行毎に区分し、更に行に属する文字毎に区分して各行に属する文字を先頭の読み文字とする漢字名称が登録された名称辞書と、かな漢字入力モードにおいて、操作キーが所定の時間以上押下され続けているか否かを判定する長押し判定手段と、前記長押し判定手段で否と判定されたとき、操作キーの押下回数を計数する計数手段と、押下された操作キーが何行を指定しているかを判定する行判定手段と、長押判定手段で押下され続けていると判定されているとき、前記名称辞書から前記行判定手段で判定された行に登録されている漢字名称を順次読み出し、前記長押し判定手段で押下され続けていると判定されているときの操作キーと前記計数手段で押下回数の計数された操作キーとが同一のとき、前記行判定手段で判定された行の前記計数手段で計数された回数＋１番目の文字に区分された文字を先頭の読み文字とする漢字名称を前記名称辞書から順次読み出す読出手段と、前記読出手段で読み出された漢字名称を表示する表示手段と、前記表示手段で所望の漢字名称が表示されたとき、ユーザによって所定のキー操作がされたとき、表示中の漢字名称を確定する確定手段とを備えることとしている。ユーザは、５０音の何行かを指定する操作キーを押下し続けることによって、動作モードを検索モードに変換し、その行の漢字名称を順次表示させることができるので、操作は非常に簡単なものになる。
【０００８】
【発明の実施の形態】
以下、本発明に係る電話機の実施の形態について、図面を用いて説明する。
（実施の形態１）
図１は、本発明に係る電話機の実施の形態１の構成図である。
この電話機は、例えば、携帯型電話機であって、無線部１１と、モデム部１２と、ＴＤＭＡ処理部１３と、Ｄ／Ａ・Ａ／Ｄ変換部１４と、音声処理部１５と、スピーカ１６と、マイク１７と、名称辞書１８と、表示部１９と、入力部２０と、制御部２１とを備えている。
【０００９】
図２は、この携帯型電話機の外観図を示している。携帯型電話機２０１の前面には、表示部１９と入力部２０を形成する操作キー２０２〜２０６とが配置されている。
無線部１１は、送信時にモデム部１２から出力されるベースバンド信号を搬送波に変換してアンテナより出力し、受信時にアンテナから入力される高周波信号をベースバンド信号に変換してモデム部１２に出力する。
【００１０】
モデム部１２は、無線部１１とＴＤＭＡ処理部１３との間で、変調及び復調を行う。
ＴＤＭＡ（Ｔｉｍｅ  Ｄｉｖｉｓｉｏｎ  Ｍｕｌｔｉｐｌｅ  Ａｃｃｅｓｓ）処理部１３は、１つのベースバンド信号を５ｍｓ当たり８つのタイムスロットに分割し、上りに４スロット、下りに４スロット割り当てることにより、双方向の４チャンネルを時分割多重する。なお、ＰＤＣ（Ｐｅｒｓｏｎａｌ  Ｄｉｇｉｔａｌ  Ｃｅｌｌｕｌａｒ）方式の携帯型電話機においては、１つのベースバンド信号を４０ｍｓ当たり６つのタイムスロットに分割し、上りに６スロット、下りに６スロット割り当てることにより、双方向の６チャンネルを時分割多重する。
【００１１】
Ｄ／Ａ・Ａ／Ｄ変換部１４は、ＴＤＭＡ処理部１３と音声処理部１５との間で、ディジタルオーディオ信号とアナログ音声信号とを相互に変換する。
音声処理部１５は、スピーカ１６やマイク１７を介して音声信号の入出力とその増幅等を行う。
名前辞書１８は、ＲＯＭ等からなり、図３に示すように５０音の各行毎に区分され、各行に属する文字を先頭の読み文字をする漢字名前を５０音順に配列して登録されている。
【００１２】
なお、行区分に記載されている「あ」、「か」、・・・、「わ」及び、漢字名前の「阿井」、「相内」、・・・、「渡辺」は、実際には、文字コードで登録されている。
表示部１９は、液晶ディスプレイ等の表面に透明のタッチパネル等が配置されてなり、制御部２１の制御のもと、検索結果の漢字名前を表示する。この際、漢字名前に対応したソフトキーが表示部１９の画面の下方に表示される。このソフトキーは、図２に示した操作キー２０２〜２０５とともに入力部２０を構成する。
【００１３】
図４は、表示部１９に表示された検索結果の一例を示す表示画面である。表示画面４０１に表示された漢字名前「阿井」、「相内」、「相浦」にそれぞれ対応したソフトキー４０２、４０３、４０４が表示されている。
入力部２０は、電話機２０１の前面に設けられた操作キー２０２、２０３、２０４、２０５、２０６及び表示部１９に表示されたソフトキー４０２〜４０４等からなり、ユーザのキー押下を受け、制御部２１に通知する。
【００１４】
繰作キー２０２は、かな漢字入力モードを設定する操作キーである。操作キー２０３は、数字キーであり、「１」、「２」、・・・「０」に５０音の「ア」行、「カ」行、・・・、「ワ」行    がそれぞれ割り当てられている。「▽」キー２０４は順送りのスクロールキーであり、「△」キー２０５は逆送りのスクロールキーである。操作キー２０６は確定キーである。
【００１５】
制御部２１は、制御用プログラムを格納したＲＯＭと、作業用のＲＡＭと、タイマーと、ＣＰＵとを有し、電話機２０１の各部を制御する。なお、制御部２１の制御のうち、本実施の形態固有の漢字名前の入力の制御についてのみ説明し、電話機２０１の送受信制御等についての説明は省略する。
制御部２１は、入力部２０から操作キー２０２の押下通知を受け取ると、動作モードをかな漢字入力モードに設定する。
【００１６】
制御部２１のＲＯＭには、操作キー２０３の各数字キー「１」、「２」、・・・、「０」と５０音の各行「あ」、「か」、・・・、「わ」との対応が記憶されている。
制御部２１は、操作キー２０３の各数字キーの押下通知を受けると、タイマーを起動し、数字キーの押下時間が所定時間以上か否かを判定する。この所定時間は、予め設定されてＲＯＭに記憶されている。例えば、この所定時間を０．５秒とする。０．５秒以上数字キーが押下されている（長押しされている）ときには、制御用プログラムに記載されている動作モードを検索モードに設定する。数字キーの押下時間が０．５秒未満であると判定したときには、通常のかな文字入力処理をする。
【００１７】
制御部２１は、検索モードに移ると、押下された数字キーに対応する５０音の５０音の何行かを特定し、名前辞書１８から特定した行に区分された漢字名前を数字キーの押下が解放されたことを入力部２０から通知されるまで、順番に読み出し、表示部１９の表示画面に表示する。この際、表示画面には、漢字名前に対応してソフトキーを表示する。なお、漢字名前は、３つずつ表示するものとする。
【００１８】
今、かな漢字入力モードにおいて、数字キー「１」（以下、「▲１▼」という）がユーザに０．５秒以上押下されると、表示部１９の表示画面は、図４の表示画面４０１に示すように、▲１▼に対応した「ア」行の漢字名前が５０音の配列順に表示される。ユーザが▲１▼を押下し続けると、順に３つずつスクロール表示され、ある時間後には、図５に示すような表示画面５０１となる。
【００１９】
制御部２１は、数字キーの長押しが解放された後、ユーザによって再び同一の数字キーが長押しされたと判断すると、読み出した次の漢字名前を３つずつ順に名前辞書１８から読み出し、表示部１９にスクロール表示を続ける。同一の数字キーが長押しでなく、所定時間未満の押下（短押し）であるときには、次の漢字名前を１つだけ名前辞書１８から読み出し、表示部１９に表示する。
【００２０】
制御部２１は、同一の数字キーの押下でなくソフトキー４０２〜４０４のいずれか又は確定キー２０６の押下の通知を入力部２０から通知されると、ソフトキーに対応する漢字名前を確定し、作業用ＲＡＭに書き込む。なお、本実施の形態では、ソフトキー４０２〜４０４により、入力を希望する漢字名前を確定するようにしているけれども、表示画面４０１、５０１の左端に表示された漢字名前を確定キー２０６の押下で確定するようにしてもよい。また、ソフトキー４０２〜４０４に対応する操作キーを電話機２０１の前面に設けるようにして、表示部１９の構成からタッチパネルを省略するようにしてもよい。
【００２１】
図５に示した表示部１９の表示画面５０１の状態で、ユーザが入力部２０より▲１▼キーを短押しすると、表示部１９の表示画面は、図６に示すようになる。制御部２１は、名前辞書１８から最後に読み出した漢字名前「秋吉」の次の漢字名前「芥川」を読み出し（図３参照）、「秋山、秋吉、芥川」の３つの漢字名前を表示した表示画面６０１に表示画面５０１から更新する。
【００２２】
ここで、ユーザがソフトキー４０４を押下すると、制御部２１は、漢字名前「芥川」を確定し、作業用ＲＡＭに漢字名前「芥川」を書き込む。これによって、ユーザは、名前「芥川」に電話番号を登録したり、名前「芥川」を用いて電話番号の検索をしたりすることができる。
次に、本実施の形態の動作を図７、図８のフローチャートを用いて説明する。
【００２３】
先ず、制御部２１は、ユーザが操作キー２０２を押下するのを待ち、かな漢字入力モードを設定する（Ｓ７０２）。入力部２０から数字キーの押下通知を待ち（Ｓ７０４）、数字キーの押下通知を受けると、タイマーを起動する（Ｓ７０６）。数字キーの押下が所定時間以上であるか否か、即ち、長押しであるか否かを判定する（Ｓ７０８）。否であれば、タイマーを停止し（Ｓ７０９）、通常のかな文字入力処理を行う（Ｓ７１０）。
【００２４】
制御部２１は、長押しと判定したとき、数字キーに対応する区分（５０音の行）の漢字名前を名前辞書１８の最初から順に読み出す（Ｓ７１２）。読み出した漢字名前を表示部１９に表示する（Ｓ７１４）。数字キーの押下が解放されるまでＳ７１２〜Ｓ７１４を繰り返し、表示部１９に漢字名前のスクロール表示を続ける（Ｓ７１６）。数字キーの押下が解放されたことを入力部２０から通知されると、タイマーを停止し（Ｓ７１７）、スクロール表示を停止する（Ｓ７１８）。
【００２５】
次に、制御部２１は、同一の数字キーの押下が入力部２０から通知されたか否かを判定し（Ｓ８０２）、否であればＳ８１２に移り、同一キーの押下であれば、再びタイマーを起動し（Ｓ８０４）、所定時間未満の押下であるか否かを判定し（Ｓ８０６）、長押しと判定したときはＳ７１２に戻る。制御部２１は、短押しと判定したときは、タイマーを停止し（Ｓ８０７）、名前辞書１８から最後に読み出した漢字名前の次の漢字名前を読み出し（Ｓ８０８）、表示部１９の表示画面に読み出した漢字名前を表示する（Ｓ８１０）。
【００２６】
Ｓ８１２において、制御部２１は、入力部２０から、確定キーの押下（ソフトキー４０２、４０３、４０４のいずれから押下）通知であるか否かを判定する（Ｓ８１２）。否であれば、Ｓ８０２に戻り、ソフトキーの押下であれば、対応する表示されている漢字名前を確定し（Ｓ８１４）、作業用ＲＡＭに漢字名前を書き込み、処理を終了する。
（実施の形態２）
次に、本発明に係る電話機の実施の形態２について説明する。この電話機の構成は、上記実施の形態１で説明した図１の構成とほぼ同様であるけれども、名前辞書１８の構成が異なり、それに応じて制御部２１のＲＯＭに記憶されている制御プログラムの内容が異なる。以下、本実施の形態固有の構成部分についてのみ説明する。
【００２７】
上記実施の形態の名前辞書１８は、漢字名前が５０音の行区分に分類して登録されていたけれども、本実施の形態の名前辞書は、５０音の各文字に区分して漢字名前が登録されている。
図９は、名前辞書の登録内容の一例を示す図である。
上記実施の形態１の制御部２１は、かな漢字入力モードにおいて、最初に押下された数字キーの押下時間が所定時間未満のときには、通常のかな文字入力処理としたけれども、本実施の形態の制御部は、同一数字キーが連続的に押下され、かつ最後に押下された数字キーの押下時間が所定時間以上のときには、５０音の文字を特定した検索モードに移る。
【００２８】
そのため、制御部は、制御部２１の構成に加え、カウンタを有し、数字キーの押下通知を入力部２０から受けると、短押しと判定したときは、その回数をカウンタを用いて計数する。同一数字キーの長押しと判定したとき、その数字キーの対応する５０音の行のカウンタで計数された回数＋１番目の文字を特定する。
例えば、制御部は、ユーザが▲１▼を長押しすると、５０音の文字「あ」であると判断する。また、ユーザが▲２▼を２回短押しした後▲２▼を長押しすると、５０音の文字「く」であると判断する。制御部は、短押し回数＋１番目の各行の文字区分を得ることができ、長押しによる検索モードに移り、得られた文字区分により漢字名前を順次読み出す。
【００２９】
更に、上記実施の形態１では、同一の数字キーの長押しにより、名前辞書１８から漢字名前の読み出しを継続し、表示部１９にスクロール表示をさせたけれども、本実施の形態の制御部は、数字キーの長押しにより検索モードを設定した後、▽キー（正方向スクロールキー）２０４が長押しされたときには、上記実施の形態の数字キーの長押しと同様、文字区分の配列順に順次名前辞書から漢字名前を読み出し、表示部１９にスクロール表示する。また、同一数字キー又は▽キー２０４が短押しされたときには、最後に読み出した次の漢字名前を読み出し、表示部１９にスクロール表示する。また、△キー２０５が短押しされたときには、名前辞書の最後に読み出した配列の一つ前の漢字名前を読み出し、表示部１９に表示する。
【００３０】
例えば、‘０’（数字キー「０」）が長押しされた後、△キー２０５が長押しされると、最初に図１０に示すように、表示画面１００１には、文字「わ」に区分された最後に配列された「渡辺、綿谷、和多田」の漢字名前が表示される（図９参照）。
次に、本実施の形態の動作について、図１１、図１２に示すフローチャートを用いて説明する。
【００３１】
先ず、制御部は、かな漢字入力モードを設定し（Ｓ１１０２）、数字キーの押下を待って（Ｓ１１０４）、カウンタｉに「０」を設定し（Ｓ１１０６）、タイマーを起動する（Ｓ１１０８）。数字キーが長押しか短押しかを判定し（Ｓ１１１０）、短押しであれば、タイマーを停止し（Ｓ１１１１）、カウンタｉに「１」を加える（Ｓ１１１２）。次に同一数字キーの押下か否かを判定し（Ｓ１１１４）、異なれば通常のかな文字入力処理に移り（Ｓ１１１６）、同一であればＳ１１０８に戻る。制御部は、Ｓ１１１０において、長押しと判定したときは、タイマーを停止し（Ｓ１１１７）、数字キーの押下の回数に従い５０音に区分された文字を特定する（Ｓ１１１８）。
【００３２】
次に、▽キー２０４の押下か△キー２０５の押下かを判定する（Ｓ１１２０）。▽キー２０４の押下であれば、名前辞書の特定された文字に区分して登録された漢字名前を順に読み出し（Ｓ１１２２）、読み出した漢字名前を表示部１９にスクロール表示し（Ｓ１１２４）、▽キー２０４の押下が解放されれば（Ｓ１２０２）、スクロール表示を停止する（Ｓ１２０４）。
【００３３】
次に、最後に押下された数字キー又は▽キー２０４の短押しか否かを判定し（Ｓ１２０６）、否であればＳ１１２２に戻り、短押しであれば、表示中の漢字名前の次の漢字名前を１つ読み出し（Ｓ１２０８）、表示する（Ｓ１２１０）。ソフトキー（確定キー２０６）の押下か否かを判定し（Ｓ１２１２）、肯定であれば、対応する表示されている漢字名前を確定し、ＲＡＭに書き込み（Ｓ１２１４）、処理を終了する。否であれば、Ｓ１２０６に戻る。
【００３４】
制御部は、Ｓ１１２０において、△キー２０５の押下であると判定したときは、名前辞書の特定された文字に区分して登録された漢字名前を配列の最後から逆に読み出し（Ｓ１１２６）、読み出した漢字名前を表示部１９にスクロール表示し（Ｓ１１２８）、△キー２０５が解放されれば（Ｓ１２１６）、スクロール表示を停止する（Ｓ１２１８）。
【００３５】
次に、制御部は、△キー２０５の短押しか否かを判定し（Ｓ１２２０）、否であればＳ１１２６に戻り、肯定であれば表示中の漢字名前を１つ読み出し（Ｓ１２２２）、表示する（Ｓ１２２４）。ソフトキー（確定キー２０６）の押下か否かを判定し（Ｓ１２１２）、肯定であれば、Ｓ１２１４に移り、否であれば、Ｓ１２２０に戻る。
【００３６】
なお、上記実施の形態１、２では、表示部１９の表示画面に漢字名前を３つずつ表示させたけれども、１つずつでもよいし、それ以外でもよい。
また、名前辞書は、漢字名前だけが登録されていたけれども、電話番号を登録、検索するための会社名等の名称が登録されていてもよいのは勿論である。
また、上記実施の形態２では、漢字名前の最初の読み文字を特定し、名前辞書を検索するようにしたけれども、名前辞書の漢字名前の読み文字を登録しておくようにして、漢字名前の読み文字の最初の何文字かを特定した後に検索するようにすれば、操作は多少煩雑にはなるけれども、検索は、スピードアップする。
【００３７】
更に、上記実施の形態１、２の説明では、表示部１９の表示画面４０１等に、漢字名前を横並びに表示することとして説明したけれども、変形例として、表示画面に漢字名前を縦並びに表示するようにしてもよいのは勿論である。
また、表示画面４０１等にソフトキーを用意したけれども、変形例として表示画面には、ソフトキーの説明を表示するようにして、表示部１９の下方にその説明に対応するソフトキーを用意するようにしてもよい。
【００３８】
図１３は、上述した変形例の電話機の外観の一例を示す図である。
この電話機１３０１では、表示部１９の表示画面１３０２に縦並びに漢字名前「秋山、秋吉、芥川」が表示されている。表示画面１３０２の下方には、電話機１３０１の表示部１９の下方に設けられたソフトキー１３０３、１３０４、１３０５の説明「１」、「２」、「３」が表示されている。
【００３９】
また、縦並びに表示された漢字名前の先頭には、説明に対応した番号「１」、「２」、「３」が表示されている。ユーザが漢字名前「芥川」を確定したいときには、「３」に対応したソフトキー１３０５を押下すればよい。
また、本実施の形態１、２の別の変形例として図１４に示すような表示画面１４０２とすることができる。上記実施の形態では、数字キー又はスクロールキーの短押しを受けて、制御部は、名前辞書から次の名前を読み出し、表示するようにしたけれども、本変形例では、制御部は、スクロール表示している漢字名前の最上段に表示している名前をデフォルトで反転表示する。制御部は、数字キー又はスクロールキーの短押しを受けて、名前の反転表示を下段に移動する。制御部は、また、ソフトキー１３０４の説明文として「ＯＫ」を表示画面に表示している。表示画面１４０２の状態で▲１▼が２度短押しされると、「芥川」に反転表示が移動する。このとき、ソフトキー１３０４が押下されると漢字名前「芥川」が確定される。
【００４０】
【発明の効果】
以上説明したように、本発明は、５０音を各行毎に区分し、更に行に属する文字毎に区分して各行に属する文字を先頭の読み文字とする漢字名称が登録された名称辞書と、かな漢字入力モードにおいて、操作キーが所定の時間以上押下され続けているか否かを判定する長押し判定手段と、前記長押し判定手段で否と判定されたとき、操作キーの押下回数を計数する計数手段と、押下された操作キーが何行を指定しているかを判定する行判定手段と、長押判定手段で押下され続けていると判定されているとき、前記名称辞書から前記行判定手段で判定された行に登録されている漢字名称を順次読み出し、前記長押し判定手段で押下され続けていると判定されているときの操作キーと前記計数手段で押下回数の計数された操作キーとが同一のとき、前記行判定手段で判定された行の前記計数手段で計数された回数＋１番目の文字に区分された文字を先頭の読み文字とする漢字名称を前記名称辞書から順次読み出す読出手段と、前記読出手段で読み出された漢字名称を表示する表示手段と、前記表示手段で所望の漢字名称が表示されたとき、ユーザによって所定のキー操作がされたとき、表示中の漢字名称を確定する確定手段とを備えることとしている。このような構成によって、一の操作キーの押下によって、５０音の何行を指定しているかを判定し、かつ、長押しであると判定すると、名称辞書の検索モードに入ることができるのでユーザは簡単な操作で入力したい漢字名称を入力することができ、５０音の文字区分を簡単に特定できるので、検索範囲を絞ることにより、入力したい漢字名称を効率的に確定することができる。
【００４１】
また、前記表示手段は、順次読み出された漢字名称をスクロール表示し、前記長押し判定手段で押下が解放されたと判定されたときスクロール表示を停止し、前記読出手段は、前記長押し判定手段で押下が解放されたと判定された後、同一操作キーが所定の時間未満押下されたとき、前記名称辞書から最後に読み出した漢字名称の次の漢字名称を読み出す次名称読出部を有することとしている。このような構成によって、操作キーの長押しが解放されたときにスクロール表示を停止し、短押しにより表示を１つずつ進めることができるので、ユーザの操作は非常に容易なものとなる。
【００４３】
また、前記名称辞書は、漢字名称を読み文字の５０音順に配列して登録されており、前記長押し判定手段で押下が解放されたと判定された後、特定の操作キーの押下を受けたとき、前記読出手段は、前記名称辞書の区分された最後の漢字名称から逆に読み出すこととしている。このような構成によって、漢字名称の検索効率を更にアップすることができる。
【００４４】
更に、前記表示手段には、表示画面の表面にタッチパネルが載置されており、前記スクロール表示に際し、一画面に複数の漢字名称を表示するようにし、各漢字名称に対応したソフトキーを表示するソフトキー表示部を有し、前記確定手段は、前記ソフトキーが押下されたとき、対応する漢字名称を確定することとしている。このような構成によって、確定したい漢字名称を簡単に確定することができる。
【図面の簡単な説明】
【図１】本発明に係る電話機の実施の形態１の構成図である。
【図２】上記実施の形態の電話機の一例の外観図である。
【図３】上記実施の形態の名前辞書の内容の一例の説明図である。
【図４】上記実施の形態の表示部の表示画面の一例を示す図である。
【図５】上記実施の形態の表示部の表示画面の一例を示す図である。
【図６】上記実施の形態の表示部の表示画面の一例を示す図である。
【図７】上記実施の形態の動作を説明するフローチャートのその１である。
【図８】上記実施の形態の動作を説明するフローチャートのその２である。
【図９】本発明に係る電話機の実施の形態２の名前辞書の内容の一例の説明図である。
【図１０】上記実施の形態の表示部の表示画面の一例を示す図である。
【図１１】上記実施の形態の動作を説明するフローチャートのその１である。
【図１２】上記実施の形態の動作を説明するフローチャートのその２である。
【図１３】上記実施の形態の変形例の電話機の外観の一例を示す図である。
【図１４】上記実施の形態の別の変形例の電話機の外観の一例を示す図である。
【符号の説明】
１１  無線部
１２  モデム部
１３  ＴＤＭＡ処理部
１４  Ｄ／Ａ・Ａ／Ｄ変換部
１５  音声処理部
１６  スピーカ
１７  マイク
１８  名前辞書
１９  表示部
２０  入力部
２１  制御部
２０１、１３０１、１４０１  電話機
２０２  かな漢字入力モード設定キー
２０３  数字キー
２０４  ▽（正スクロール）キー
２０５  △（逆スクロール）キー
２０６  確定キー
４０２、４０３、４０４、１３０３、１３０４、１３０５  ソフトキー
【図１】
0003588269.tif 000002
【図２】
0003588269.tif 000003
【図３】
0003588269.tif 000004
【図４】
0003588269.tif 000005
【図５】
0003588269.tif 000006
【図６】
0003588269.tif 000007
【図７】
0003588269.tif 000008
【図８】
0003588269.tif 000009
【図９】
0003588269.tif 000010
【図１０】
0003588269.tif 000011
【図１１】
0003588269.tif 000012
【図１２】
0003588269.tif 000013
【図１３】
0003588269.tif 000014
【図１４】
0003588269.tif 000015